(57)【要約】  複数個の送光用プローブや複数個の受光用プローブをホルダに短時間で取り付けることができるプローブ保持具を提供するために、被検体に光を照射する複数個の送光用プローブ１２と、被検体から放出される光を受光する複数個の受光用プローブ１３と、複数本の送光用伝送路３０ａからなる送光用伝送路群３０と、複数本の受光用伝送路４０ａからなる受光用伝送路群４０とを備える光測定装置１に用いられるプローブ保持具５０であって、各送光用プローブ１２を各送光用プローブ保持手段６０ａにそれぞれ保持するとともに、各受光用プローブ１３を各受光用プローブ保持手段６０ｂにそれぞれ保持することが可能な固定部材６０を備えることを特徴とする。
2012053077.tif 000002
【特許請求の範囲】
【請求項１】
被検体に光を照射する複数個の送光用プローブと、
前記被検体から放出される光を受光する複数個の受光用プローブと、
複数本の送光用伝送路からなる送光用伝送路群と、
複数本の受光用伝送路からなる受光用伝送路群とを備え、
１本の送光用伝送路の先端部には、１個の送光用プローブが接続され、
１本の受光用伝送路の先端部には、１個の受光用プローブが接続された光測定装置に用いられるプローブ保持具であって、
各送光用プローブに応じて予め定められた位置に各送光用プローブを保持する各送光用プローブ保持手段と、各受光用プローブに応じて予め定められた位置に各受光用プローブを保持する各受光用プローブ保持手段とを有する固定部材を備えることを特徴とするプローブ保持具。
【請求項２】
各送光用プローブと各受光用プローブとには、異なる番号がそれぞれ振り当てられるとともに、各送光用プローブ保持手段と各受光用プローブ保持手段とには、異なる番号がそれぞれ表示されており、
各送光用プローブと各受光用プローブとは、対応する番号の各送光用プローブ保持手段と各受光用プローブ保持手段とにそれぞれ保持されることを特徴とする請求項１に記載のプローブ保持具。
【請求項３】
前記固定部材は、内径が被検体の頭部の大きさよりも大きくなる円環部材と、当該円環部材を移動可能とする円環部材保持手段とを有し、
前記円環部材の上面には複数個の送光用プローブ保持手段と複数個の受光用プローブ保持手段とが形成されており、
複数個の送光用プローブ及び複数個の受光用プローブを、前記被検体の頭部に装着されるホルダの装着部に取り付ける際には、前記円環形材の内部に被検体の頭部が配置されることを特徴とする請求項１又は請求項２に記載のプローブ保持具。
【請求項４】
前記円環部材の内周面又は外周面には、水平方向に貫通する複数個の貫通孔が形成されるとともに、
前記円環部材の内部には、送光用伝送路群と受光用伝送路群とが配置されており、
１個の貫通孔に１本の送光用伝送路或いは１本の受光用伝送路が内側から外側に通過するように引出されていることを特徴とする請求項３に記載のプローブ保持具。
【請求項５】
前記固定部材は、前記円環部材を上下方向に移動可能とする円環部材保持手段を有し、
前記測定を行う際には、前記被検体の頭部の上方に配置されることを特徴とする請求項３又は請求項４に記載のプローブ保持具。
【請求項６】
上下に伸びた支柱と、
前記支柱の下部に取り付けられた車輪と、
前記支柱の上部に取り付けられた固定部材とを備えることを特徴とする請求項３〜請求項５のいずれかに記載のプローブ保持具。
【請求項７】
被検体に光を照射する複数個の送光用プローブと、
前記被検体から放出される光を受光する複数個の受光用プローブと、
複数本の送光用伝送路からなる送光用伝送路群と、
複数本の受光用伝送路からなる受光用伝送路群とを備え、
１本の送光用伝送路の先端部には、１個の送光用プローブが接続され、
１本の受光用伝送路の先端部には、１個の受光用プローブが接続される光測定装置であって、
請求項１〜請求項６のいずれかに記載のプローブ保持具を備えることを特徴とする光測定装置。
【発明の詳細な説明】
【技術分野】
【０００１】
本発明は、光を用いて被検体の内部における測定部位に関する受光量情報を得るためのプローブ保持具及びそれを用いた光測定装置に関し、さらに詳細には、非侵襲で脳活動を測定する光脳機能イメージング装置に関する。
【背景技術】
【０００２】
近年、脳の活動状況を観察するために、光を用いて簡便に非侵襲で測定する光脳機能イメージング装置が開発されている。このような光脳機能イメージング装置では、被検者の頭部表面上に配置した送光用プローブにより、異なる３種類の波長λ１、λ２、λ３（例えば、７８０ｎｍと８０５ｎｍと８３０ｎｍ）の近赤外光を脳に照射するとともに、頭部表面上に配置した受光用プローブにより、脳から放出された各波長λ１、λ２、λ３の近赤外光の強度（受光量情報）Ａ（λ１）、Ａ（λ２）、Ａ（λ３）をそれぞれ検出する。
そして、このようにして得られた受光量情報Ａ（λ１）、Ａ（λ２）、Ａ（λ３）から、脳血流中のオキシヘモグロビンの濃度・光路長積[oxyHb]と、デオキシヘモグロビンの濃度・光路長積[deoxyHb]とを求めるために、例えば、Modified Beer Lambert則を用いて関係式（１）（２）（３）に示す連立方程式を作成して、この連立方程式を解いている（例えば、非特許文献１参照）。さらには、オキシヘモグロビンの濃度・光路長積[oxyHb]と、デオキシヘモグロビンの濃度・光路長積[deoxyHb]とから総ヘモグロビンの濃度・光路長積（[oxyHb]＋[deoxyHb]）を算出している。
Ａ（λ１）＝ＥＯ（λ１）×[oxyHb]＋Ｅｄ（λ１）×[deoxyHb]・・・（１）
Ａ（λ２）＝ＥＯ（λ２）×[oxyHb]＋Ｅｄ（λ２）×[deoxyHb]・・・（２）
Ａ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。【０００３】
ここで、送光用プローブと受光用プローブとの間の距離（チャンネル）と、測定部位との関係について説明する。図５（ａ）は、一対の送光用プローブ及び受光用プローブと、測定部位との関係を示す断面図であり、図５（ｂ）は、図５（ａ）の平面図である。
送光用プローブ１２が被検者の頭部表面の送光点Ｔに押し当てられるとともに、受光用プローブ１３が被検者の頭部表面の受光点Ｒに押し当てられる。そして、送光用プローブ１２から光を照射させるとともに、受光用プローブ１３に頭部表面から放出される光を入射させる。このとき、光は、頭部表面の送光点Ｔから照射された光のうちで、バナナ形状（測定領域）を通過した光が、頭部表面の受光点Ｒに到達する。これにより、測定領域の中でも、特に送光点Ｔと受光点Ｒとを被検者の頭部表面に沿って最短距離で結んだ線Ｌの中点Ｍから、送光点Ｔと受光点Ｒとを被検者の頭部表面に沿って最短距離で結んだ線の距離の半分の深さＬ／２である被検者の測定部位Ｓに関する受光量情報Ａ（λ１）、Ａ（λ２）、Ａ（λ３）が得られるとしている。【０００４】
また、光脳機能イメージング装置では、脳の複数箇所の測定部位に関するオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）をそれぞれ測定するために、例えば、近赤外分光分析計（以下、ＮＩＲＳと略す）等が利用されている（例えば、特許文献１参照）。
図６は、従来の光脳機能イメージング装置の概略構成の一例を示すブロック図である。また、図８は、図６に示す光脳機能イメージング装置で測定を行う際の外観の一例を示す斜視図であり、図７は、片付けた際の外観の一例を示す斜視図である。なお、図を見やすくするために、数本の送光用光ファイバ（送光用伝送路）３０ａと数本の受光用光ファイバ（受光用伝送路）４０ａとを省略している。
光脳機能イメージング装置１０１は、筐体１９０ａを有する装置本体１９０と、被検者の頭部表面に装着させる送受光部１０と、Ｓ（ただし、Ｓ≧１）個の送光用プローブ１２と、Ｔ（ただし、Ｔ≧１）個の受光用プローブ１３と、Ｓ本の送光用光ファイバ３０ａからなる送光用光ファイバ群３０と、Ｔ本の受光用光ファイバ４０ａからなる受光用光ファイバ群４０とにより構成される。【０００５】
装置本体１９０は、筐体１９０ａの内部に、近赤外光を出射する発光部２と、受光量情報Ａｎ（λｍ）を検出する光検出部３と、光脳機能イメージング装置１０１全体の制御を行うコンピュータ２０のＣＰＵ２１及びメモリ２５とを備えるとともに、筐体１９０ａの外部に、送光用光ファイバ群３０と受光用光ファイバ群４０とが係止される係止部１８０と、コンピュータ２０の表示装置２３及び入力装置２２と、４個の車輪１９０ｂとを備える。
なお、コンピュータ２０は、ＣＰＵ２１を備え、さらにメモリ２５と、モニタ画面２３ａ等を有する表示装置２３と、入力装置２２であるキーボード２２ａやマウス２２ｂとが連結されている。【０００６】
送光用光ファイバ３０ａと受光用光ファイバ４０ａとは、直径２ｍｍ、長さ２ｍ〜１０ｍの管状であり、近赤外光を軸方向に伝達することができ、一端部から入射した近赤外光が、内部を通過して他端部から出射したり、他端部から入射した近赤外光が、内部を通過して一端部から出射したりするようになっている。
１本の送光用光ファイバ３０ａは、１個の送光用プローブ１２と、筐体１９０ａの内部の発光部２とを設定長さ（２ｍ〜１０ｍ）で離れるように両端部に接続している。
１本の受光用光ファイバ４０ａは、１個の受光用プローブ１３と、筐体１９０ａの内部の光検出部３とを設定長さ（２ｍ〜１０ｍ）で離れるように両端部に接続している。【０００７】
図９は、送光用プローブ（受光用プローブ）の一例を示す斜視図である。
送光用プローブ１２は、円筒形状であり、その外周面は、送受光部１０の貫通孔１１ａ（後述する）に固定できるようになっており、その内周面には、送光用光ファイバ３０ａの一端部が挿入されている。これにより、送光用光ファイバ３０ａの他端部が、発光部２と接続されているので、送光用光ファイバ３０ａの他端部から入射した近赤外光が、送光用光ファイバ３０ａの内部を通過して送光用光ファイバ３０ａの一端部（送光用プローブの先端）から出射することができるようになっている。
また、受光用プローブ１３も、送光用プローブ１２と同様の構造をしており、円筒形状で、その外周面は、送受光部１０の貫通孔１１ａに固定できるようになっており、その内周面には、受光用光ファイバ４０ａの一端部が挿入されている。これにより、受光用光ファイバ４０ａの他端部が、光検出部３と接続されているので、受光用光ファイバ４０ａの一端部（受光用プローブの先端部）から入射した近赤外光が、受光用光ファイバ４０ａの内部を通過して受光用光ファイバ４０ａの他端部から出射することができるようになっている。【０００８】
送受光部１０には、測定対象となる被検者の頭部表面に、Ｓ個の送光用プローブ１２とＴ個の受光用プローブ１３とを密着させるために、ホルダ１１が使用される。ホルダ１１としては、例えば、頭部表面の形状に合わせて椀形状に成型されたものが使用される。図１０は、ホルダの一例を示す斜視図である。ホルダ１１には、（Ｓ＋Ｔ）個の貫通孔１１ａが行方向と列方向とで３０ｍｍをあけるように形成されている。
そして、測定を行う際には、Ｓ個の送光用プローブ１２とＴ個の受光用プローブ１３とが、ホルダ１１の貫通孔１１ａに、行方向と列方向とに交互となるように挿入されることになる（図１１参照）。このとき、ホルダ１１のどの貫通孔１１ａに、どの送光用プローブ１２又は受光用プローブ１３が挿入されたかが認識されるように、各貫通孔１１ａには、異なる番号がそれぞれ振り当てられているとともに、各送光用プローブ１２と各受光用プローブ１３とにも、異なる番号がそれぞれ振り当てられている。そして、各送光用プローブ１２と各受光用プローブ１３とは、対応する番号の各貫通孔１１ａにそれぞれ挿入されることになる。【０００９】
図１１は、Ｓ個の送光用プローブとＴ個の受光用プローブとの位置関係の一例を示す図である。なお、送光用プローブ１２を丸で示し、受光用プローブ１３を四角で示す。
このようにＳ個の送光用プローブとＴ個の受光用プローブとを配置して、順番に１個ずつ送光用プローブ１２から光を照射させるとともに、Ｔ個の受光用プローブ１３に頭部表面から放出される光を入射させることによって、Ｎ箇所の測定部位に関する受光量情報Ａｎ（λ１）、Ａｎ（λ２）、Ａｎ（λ３）（ｎ＝１，２，・・・，Ｎ）を得ている。さらに、Ｎ箇所の測定部位における受光量情報Ａｎ（λ１）、Ａｎ（λ２）、Ａｎ（λ３）から、上述したような連立方程式を作成して、オキシヘモグロビンの濃度・光路長積[oxyHb]と、デオキシヘモグロビンの濃度・光路長積[deoxyHb]とを算出している。【００１０】
ところで、測定を行った後には、ホルダ１１の貫通孔１１ａからＳ個の送光用プローブ１２とＴ個の受光用プローブ１３とを取り外し、光脳機能イメージング装置１０１を片付けることになる。そこで、Ｔ字の棒形状の係止部１８０が、筐体１９０ａの外部の上部に配置されている。これにより、係止部１８０に、Ｓ個の送光用プローブ１２が接続されたＳ本の送光用光ファイバ３０ａと、Ｔ個の受光用プローブ１３が接続されたＴ本の受光用光ファイバ４０ａとを係止している（図７参照）。
【先行技術文献】
【特許文献】
【００１１】
【特許文献１】特開２００６−１０９９６４号公報
【非特許文献】
【００１２】
【非特許文献１】Factors affecting the accuracy of near-infrared spectroscopy concentration calculations for focal changes in oxygenation parameters, NeuroImage 18, 865-879, 2003
【発明の概要】
【発明が解決しようとする課題】
【００１３】
しかしながら、測定を行う際には、図７に示すように、係止部１８０にＳ本の送光用光ファイバ３０ａとＴ本の受光用光ファイバ４０ａとが係止されているが、各送光用プローブ１２と各受光用プローブ１３とを、対応する番号の各貫通孔１１ａにそれぞれ挿入するので、係止部１８０に係止された中から対応する番号のものを探し出す必要があり、非常に手間がかかるという問題点があった。
また、被検者がリハビリ等の運動を行う時間は、１時間程度であるのにもかかわらず、医師等が被検者の頭部にホルダ１１を取り付け、そして、送光用プローブ１２や受光用プローブ１３をホルダ１１の貫通孔１１ａに取り付ける時間も、１時間程度かかっていた。つまり、被検者がリハビリ等の運動を行う時間に対して、ホルダ１１に送光用プローブ１２や受光用プローブ１３を取り付ける取付時間が非常に長くなっていた。
そこで、本発明は、複数個の送光用プローブや複数個の受光用プローブをホルダに短時間で取り付けることができるプローブ保持具及びそれを用いた光測定装置を提供することを目的とする。
【課題を解決するための手段】
【００１４】
上記課題を解決するためになされた本発明のプローブ保持具は、被検体に光を照射する複数個の送光用プローブと、前記被検体から放出される光を受光する複数個の受光用プローブと、複数本の送光用伝送路からなる送光用伝送路群と、複数本の受光用伝送路からなる受光用伝送路群とを備え、１本の送光用伝送路の先端部には、１個の送光用プローブが接続され、１本の受光用伝送路の先端部には、１個の受光用プローブが接続された光測定装置に用いられるプローブ保持具であって、各送光用プローブに応じて予め定められた位置に各送光用プローブを保持する各送光用プローブ保持手段と、各受光用プローブに応じて予め定められた位置に各受光用プローブを保持する各受光用プローブ保持手段とを有する固定部材を備えるようにしている。【００１５】
本発明のプローブ保持具によれば、各送光用プローブを各送光用プローブ保持手段にそれぞれ保持するとともに、各受光用プローブを各受光用プローブ保持手段にそれぞれ保持することが可能な固定部材を備える。これにより、複数個の送光用プローブや複数個の受光用プローブをホルダに取り付ける際には、固定部材を被検体の頭部近傍に移動させる。そして、各送光用プローブと各受光用プローブとを、固定部材の各送光用プローブ保持手段や各受光用プローブ保持手段から移し変えるように、ホルダの各貫通孔に挿入することになる。
【発明の効果】
【００１６】
以上のように、本発明のプローブ保持具によれば、複数個の送光用プローブや複数個の受光用プローブをホルダに短時間で取り付けることができる。【００１７】
（その他の課題を解決するための手段及び効果）
また、本発明のプローブ保持具は、各送光用プローブと各受光用プローブとには、異なる番号がそれぞれ振り当てられるとともに、各送光用プローブ保持手段と各受光用プローブ保持手段とには、異なる番号がそれぞれ表示されており、各送光用プローブと各受光用プローブとは、対応する番号の各送光用プローブ保持手段と各受光用プローブ保持手段とにそれぞれ保持されるようにしてもよい。
本発明の光測定装置によれば、番号がそれぞれ振り当てられた送光用プローブと受光用プローブとを、表示された番号を確認しながら、容易に見つけることができる。【００１８】
また、本発明のプローブ保持具は、前記固定部材は、内径が被検体の頭部の大きさよりも大きくなる円環部材と、当該円環部材を移動可能とする円環部材保持手段とを有し、前記円環部材の上面には複数個の送光用プローブ保持手段と複数個の受光用プローブ保持手段とが形成されており、複数個の送光用プローブ及び複数個の受光用プローブを、前記被検体の頭部に装着されるホルダの装着部に取り付ける際には、前記円環形材の内部に被検体の頭部が配置されるようにしてもよい。
本発明のプローブ保持具によれば、複数個の送光用プローブや複数個の受光用プローブをホルダの装着部（貫通孔）に、より短時間で取り付けることができる。【００１９】
また、本発明のプローブ保持具は、前記円環部材の内周面又は外周面には、水平方向に貫通する複数個の貫通孔が形成されるとともに、前記円環部材の内部には、送光用伝送路群と受光用伝送路群とが配置されており、１個の貫通孔に１本の送光用伝送路或いは１本の受光用伝送路が内側から外側に通過するように引出されているようにしてもよい。
本発明のプローブ保持具によれば、複数本の送光用伝送路や複数本の送光用伝送路が邪魔にならない。【００２０】
また、本発明のプローブ保持具は、前記固定部材は、前記円環部材を上下方向に移動可能とする円環部材保持手段を有し、前記測定を行う際には、前記被検体の頭部の上方に配置されるようにしてもよい。
本発明のプローブ保持具によれば、送光用伝送路や受光用伝送路の重さを支えることができる。
また、本発明のプローブ保持具は、上下に伸びた支柱と、前記支柱の下部に取り付けられた車輪と、前記支柱の上部に取り付けられた固定部材とを備えるようにしてもよい。
本発明のプローブ保持具によれば、固定部材を被検体の頭部近傍に容易に移動させることができる。【００２１】
そして、本発明の光測定装置は、被検体に光を照射する複数個の送光用プローブと、前記被検体から放出される光を受光する複数個の受光用プローブと、複数本の送光用伝送路からなる送光用伝送路群と、複数本の受光用伝送路からなる受光用伝送路群とを備え、１本の送光用伝送路の先端部には、１個の送光用プローブが接続され、１本の受光用伝送路の先端部には、１個の受光用プローブが接続される光測定装置であって、上述したようなプローブ保持具を備えるようにしてもよい。
本発明の光測定装置によれば、複数個の送光用プローブや複数個の受光用プローブをホルダに短時間で取り付けることができることができる。
【図面の簡単な説明】
【００２２】
【図１】本発明の一実施形態である光脳機能イメージング装置の概略構成の一例を示すブロック図。
【図２】図１に示す光脳機能イメージング装置の外観の一例を示す斜視図。
【図３】図１に示す光脳機能イメージング装置の外観の一例を示す斜視図。
【図４】図１に示すプローブ保持具の固定部材の一例を示す拡大斜視図。
【図５】送光用プローブと受光用プローブとの間の距離と、測定部位との関係についての説明図。
【図６】従来の光脳機能イメージング装置の概略構成の一例を示すブロック図。
【図７】図６に示す光脳機能イメージング装置の外観の一例を示す斜視図。
【図８】図６に示す光脳機能イメージング装置の外観の一例を示す斜視図。
【図９】送光用プローブ（受光用プローブ）の一例を示す斜視図。
【図１０】ホルダの一例を示す斜視図。
【図１１】Ｓ個の送光用プローブとＴ個の受光用プローブとの位置関係の一例を示す図。
【発明を実施するための形態】
【００２３】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２４】
図１は、本発明の一実施形態である光脳機能イメージング装置の概略構成の一例を示すブロック図である。また、図２は、図１に示す光脳機能イメージング装置で測定を行う際の外観の一例を示す斜視図であり、図３は、Ｓ個の送光用プローブ１２とＴ個の受光用プローブ１３とをホルダ１１に取り付ける際の外観の一例を示す斜視図である。なお、光脳機能イメージング装置１０１と同様のものについては、同じ符号を付している。
【００２５】
光脳機能イメージング装置１は、筐体９０ａを有する装置本体９０と、被検者の頭部表面に装着させる送受光部１０と、Ｓ（ただし、Ｓ≧１）個の送光用プローブ１２と、Ｔ（ただし、Ｔ≧１）個の受光用プローブ１３と、Ｓ本の送光用光ファイバ（送光用伝送路）３０ａからなる送光用光ファイバ群３０と、Ｔ本の受光用光ファイバ（受光用伝送路）４０ａからなる受光用光ファイバ群４０と、送光用光プローブ１２と受光用光プローブ１３とが保持されるプローブ保持具５０とにより構成される。
【００２６】
装置本体９０は、筐体９０ａの内部に、近赤外光を出射する発光部２と、受光量情報Ａｎ（λｍ）を検出する光検出部３と、光脳機能イメージング装置１全体の制御を行うコンピュータ２０のＣＰＵ２１及びメモリ２５とを備えるとともに、筐体９０ａの外部に、コンピュータ２０の表示装置２３及び入力装置２２と、４個の車輪９０ｂとを備える。
発光部２は、コンピュータ２０から入力された駆動信号により３種類の設定波長のうちから選択される１種類の設定波長の近赤外光を出射する。上記設定波長としては、例えば、７８０ｎｍ（λ１）と８０５ｎｍ（λ２）と８３０ｎｍ（λ３）とが用いられる。
光検出部３は、近赤外光の強度を検出することにより、受光量情報Ａｎ（λｍ）をコンピュータ２０に出力する。
【００２７】
図４は、図１に示すプローブ保持具の固定部材の一例を示す拡大斜視図である。なお、見やすくするために、数個の送光用プローブ１２と数個の受光用プローブ１３とを省略している。
プローブ保持具５０は、上下に伸びた円管形状の支柱５１と、支柱５１の下部に取り付けられた５個の車輪５２と、支柱５１の上部に取り付けられた固定部材６０とを備える（図２，３参照）。
固定部材６０は、円環形状の円環部６１と、一端部が円環部６１に取り付けられるとともに他端部が支柱５１の上部に取り付けられた水平に伸びた棒部６２とを備える。
支柱５１は、外側ポール５１ａと、外側ポール５１ａの内側に挿入される内側ポール５１ｂとの二重構造となっており、ネジ（円環部材保持手段）６３を用いて、外側ポール５１ａから内側ポール５１ｂが引き出される上下方向の距離を変更することができるようになっている。これにより、円環部６１の高さの位置を調整することができる。
【００２８】
円環部６１の上面の内周側には、垂直方向に掘られたＳ個の挿入孔（送光用プローブ保持手段）６０ａが、平面視で円形に並ぶように形成されている。そして、各挿入孔６０ａには、順番に１，２，・・・，Ｓとなるように番号がそれぞれ振り当てられている。
円環部６１の上面の外周側には、垂直方向に掘られたＴ個の挿入孔（受光用プローブ保持手段）６０ｂが、平面視で円形に並ぶように形成されている。そして、各挿入孔６０ｂには、順番に１，２，・・・，Ｔとなるように番号がそれぞれ振り当てられている。
【００２９】
円環部６１の内周面の上側には、水平方向に貫通するＳ個の貫通孔６０ｃが、平面視で円形に並ぶように形成されている。そして、各貫通孔６０ｃには、順番に１，２，・・・，Ｓとなるように番号がそれぞれ振り当てられている。１個の貫通孔６０ｃには、１本の送光用光ファイバ３０ａが内側から外側に通過するように引出されている。これにより、測定を行わない際には、送光用光ファイバ３０ａの先端部に接続された１個の送光用プローブ１２を１個の挿入孔６０ａに挿入することができるようになっている。このとき、送光用プローブ１２は、対応する番号の挿入孔６０ａに固定されることになる。
【００３０】
円環部６１の内周面の下側には、水平方向に貫通するＴ個の貫通孔６０ｄが、平面視で円形に並ぶように形成されている。そして、各貫通孔６０ｄには、順番に１，２，・・・，Ｔとなるように番号がそれぞれ振り当てられている。１個の貫通孔６０ｄには、１本の受光用光ファイバ４０ａが内側から外側に通過するように引出されている。これにより、測定を行わない際には、受光用光ファイバ４０ａの先端部に接続された１個の受光用プローブ１３を１個の挿入孔６０ｂに挿入することができるようになっている。このとき、受光用プローブ１３は、対応する番号の挿入孔６０ｂに固定されることになる。
【００３１】
そして、円環部６１の内部空間と棒部６２の内部空間とには、Ｓ本の送光用光ファイバ３０ａとＴ本の受光用光ファイバ４０ａとが配置され、棒部６２を介して筐体９０ａの内部と連結されている。
また、円環部６１の内周面において、貫通孔６０ｃと貫通孔６０ｄとの間のスペースには、対応する番号が表示されている。具体的には、順番に１，２，・・・となるように番号がそれぞれ表示されている。これにより、例えば、１番と表示された直ぐ上の貫通孔６０ｃから引出されている送光用光ファイバ３０ａの先端部に接続された送光用プローブ１２を１番の挿入孔６０ａに挿入することになり、その結果、表示された番号を確認しながら対応する番号の送光用プローブ１２を確実に見つけることができる。また、１番と表示された直ぐ下の貫通孔６０ｄから引出されている受光用光ファイバ４０ａの先端部に接続された受光用プローブ１３を１番の挿入孔６０ｂに挿入することになり、その結果、表示された番号を確認しながら対応する番号の受光用プローブ１３を確実に見つけることができる。
また、円環部６１は、棒部６２が取り付けられた位置と対抗する箇所を左右に開放することができるようになっている。これにより、円環部６１は、内径が一般的な被検者の頭部の大きさよりも大きくなるように形成されているが、被検者の頭部が大きくても、円環部６１の内部に被検者の頭部を配置することができるようになっている。
【００３２】
次に、光脳機能イメージング装置１を使用する使用方法について説明する。
まず、医師等は、被検者を椅子に座らせ、被検者の頭部にホルダ１１を装着する。次に、医師等は、プローブ保持具５０を被検者の近傍に移動させて、固定部材６０の高さの位置を調整して、円環部６１の内部に被検者の頭部を配置する。次に、医師等は、Ｓ個の送光用プローブ１２とＴ個の受光用プローブ１３とを、円環部６１の挿入孔６０ａ、６０ｂから移し変えるように、ホルダ１１の対応する番号の貫通孔１１ａに取り付ける（図３参照）。次に、医師等は、固定部材６０の高さの位置を調整して、固定部材６０を被検者の頭部の上方に配置する（図２参照）。
【００３３】
そして、医師等は、Ｎ箇所の測定部位に関する受光量情報Ａｎ（λ１）、Ａｎ（λ２）、Ａｎ（λ３）（ｎ＝１，２，・・・，Ｎ）を得る測定を行う。
その後、医師等は、測定が終了すると、Ｓ個の送光用プローブ１２とＴ個の受光用プローブ１３とをホルダ１１の対応する番号の貫通孔１１ａから取り外す。次に、医師等は、被検者の頭部からホルダ１１を取り外す。次に、医師等は、Ｓ個の送光用プローブ１２とＴ個の受光用プローブ１３とを固定部材６０の対応する番号の挿入孔６０ａ、６０ｂに取り付ける。次に、医師等は、プローブ保持具５０を移動させて片付ける。
【００３４】
以上のように、光脳機能イメージング装置１によれば、Ｓ個の送光用プローブ１２とＴ個の受光用プローブ１３とをホルダ１１の対応する番号の貫通孔１１ａに短時間で取り付けることができる。また、測定を行っている際には、送光用光ファイバ３０ａと受光用光ファイバ４０ａとの重さを支えることができる。
【００３５】
＜他の実施形態＞
（１）上述した光脳機能イメージング装置１において、円環形状の円環部６１を備えるような構成を示したが、四角形状の円環部を備えるような構成としてもよい。
（２）上述した光脳機能イメージング装置１において、円環部６１の内周面に貫通孔６０ｃ、６０ｄが形成されたような構成を示したが、円環部の外周面に貫通孔が形成されるような構成としてもよい。
（３）上述した光脳機能イメージング装置１において、貫通孔６０ｃと貫通孔６０ｄとの間のスペースには、対応する番号が表示されているような構成を示したが、挿入孔６０ａ、６０ｂの近傍に、対応する番号が表示されているような構成としてもよい。
【産業上の利用可能性】
【００３６】
本発明は、非侵襲で脳活動を測定する光脳機能イメージング装置等に利用することができる。
【符号の説明】
【００３７】
１：光脳機能イメージング装置（光測定装置）
２：発光部
３：光検出部
１０：送受光部
１２：送光用プローブ
１３：受光用プローブ
２０：コンピュータ
３０：送光用光ファイバ群（送光用伝送路群）
３０ａ：送光用光ファイバ（送光用伝送路）
４０：受光用光ファイバ群（受光用伝送路群）
４０ａ：受光用光ファイバ（受光用伝送路）
５０：プローブ保持具
６０：固定部材
６０ａ、６０ｂ：挿入孔（プローブ保持手段）
９０、１９０：装置本体
９０ａ、１９０ａ：筐体
【図１】
2012053077.tif 000003
【図２】
2012053077.tif 000004
【図３】
2012053077.tif 000005
【図４】
2012053077.tif 000006
【図５】
2012053077.tif 000007
【図６】
2012053077.tif 000008
【図７】
2012053077.tif 000009
【図８】
2012053077.tif 000010
【図９】
2012053077.tif 000011
【図１０】
2012053077.tif 000012
【図１１】
2012053077.tif 000013
【国際調査報告】
2012053077.tif 000014
2012053077.tif 000015